【手続補正書】
【提出日】平成22年11月11日(2010.11.11)
【手続補正１】
【補正対象書類名】特許請求の範囲
【補正対象項目名】全文
【補正方法】変更
【補正の内容】
【特許請求の範囲】
【請求項１】
ＥＬ素子を有する画素がマトリックス状に配置された表示画面と、
ソース信号線と接続され、映像信号電圧を出力するソースドライバ回路と、
前記画素行を選択するゲートドライバ回路を有するＥＬ表示装置において、
前記画素には、前記ＥＬ素子に電流を供給する駆動用トランジスタと、第１のスイッチトランジスタと、第２のスイッチトランジスタと、第３のスイッチトランジスタと、第１のコンデンサが形成されており、
前記駆動用トランジスタはゲート端子と第１の端子と第２の端子を有し、
前記第１のスイッチトランジスタの第１の端子は、第１の電圧が印加された配線と接続され、前記第１のスイッチトランジスタの第２の端子は、前記駆動用トランジスタと接続され、
前記第１のスイッチトランジスタの第１の端子は第１の電圧が印加され、前記第１のスイッチトランジスタの第２の端子は、前記第１のスイッチトランジスタがオン状態の時に前記第１の電圧を前記駆動用トランジスタのゲート端子に印加できるように接続され、
前記第２のスイッチトランジスタの第１の端子は、前記駆動用トランジスタの第１の端子と接続され、前記第２のスイッチトランジスタの第２の端子は、前記駆動用トランジスタのゲート端子と接続され、
前記第３のスイッチトランジスタの第１の端子は、前記ソース信号線と接続され、前記第３のスイッチトランジスタの第２の端子は、前記駆動用トランジスタの第２の端子と接続され、
前記第１のコンデンサは、前記駆動用トランジスタの第２の端子と接続され、
第１の期間に、前記第２のスイッチトランジスタ及び第３のスイッチトランジスタはオフ状態にし、前記第１のスイッチトランジスタをオン状態にし、前記第１の電圧を前記駆動用トランジスタに印加し、
前記第２の期間に、前記第１のスイッチトランジスタをオフ状態にし、前記ソース信号線に印加された第３の電圧を前記第１のコンデンサに印加するとともに、前記第３の電圧を前記駆動用トランジスタに印加し、
前記第２の期間後の第３の期間に、前記第２のスイッチトランジスタをオン状態にし、前記第１のスイッチトランジスタ及び前記第３のスイッチトランジスタをオフ状態にし、前記第１のコンデンサに保持された前記第３の電圧を、前記駆動用トランジスタに印加する、
ことを特徴とするＥＬ表示装置。
【請求項２】
ＥＬ素子を有する画素がマトリックス状に配置された表示画面と、
ソース信号線と接続され、映像信号電圧を出力するソースドライバ回路と、
前記画素行を選択するゲートドライバ回路を有するＥＬ表示装置において、
前記画素には、前記ＥＬ素子に電流を供給する駆動用トランジスタと、第１のスイッチトランジスタと、第２のスイッチトランジスタと、第３のスイッチトランジスタと、第４のスイッチトランジスタと、第５のスイッチトランジスタと、第１のコンデンサと、第２のコンデンサが形成されており、
前記駆動用トランジスタはゲート端子と第１の端子と第２の端子を有し、
前記第１のスイッチトランジスタの第１の端子は、第１の電圧が印加された配線と接続され、前記第１のスイッチトランジスタの第２の端子は、前記駆動用トランジスタと接続され、
前記第１のスイッチトランジスタの第１の端子は第１の電圧が印加され、前記第１のスイッチトランジスタの第２の端子は、前記第１のスイッチトランジスタがオン状態の時に前記第１の電圧を前記駆動用トランジスタのゲート端子に印加できるように接続され、
前記第２のスイッチトランジスタの第１の端子は、前記駆動用トランジスタの第１の端子と接続され、前記第２のスイッチトランジスタの第２の端子は、前記駆動用トランジスタのゲート端子と接続され、
前記第３のスイッチトランジスタの第１の端子は、前記ソース信号線と接続され、前記第３のスイッチトランジスタの第２の端子は、前記駆動用トランジスタの第２の端子と接続され、
前記第４のスイッチトランジスタの第１の端子は、前記駆動用トランジスタの第１の端子と接続され、前記第４のスイッチトランジスタの第２の端子は、前記ＥＬ素子の１端子と接続され、
前記第５のスイッチトランジスタの第１の端子は、第２の電圧が印加された配線と接続され、前記第５のスイッチトランジスタの第２の端子は、前記駆動用トランジスタの第２の端子と接続され、
前記第１のコンデンサは、前記駆動用トランジスタの第２の端子と接続され、
前記第２のコンデンサは、前記第２の電圧が印加された配線と前記駆動用トランジスタのゲート端子間に形成され、
第１の期間に、前記第２のスイッチトランジスタと第３のスイッチトランジスタと第４のスイッチトランジスタはオフ状態にし、前記第１のスイッチトランジスタと前記第５のスイッチトランジスタをオン状態にし、前記第１の電圧を前記駆動用トランジスタに印加し、
第１の期間後の第２の期間に、前記第１のスイッチトランジスタと前記第４のスイッチトランジスタと前記第５のスイッチトランジスタをオフ状態にし、前記第２のスイッチトランジスタ及び前記第３のスイッチトランジスタをオン状態にし、前記ソース信号線に印加された第３の電圧を前記第１のコンデンサに印加するとともに、前記第３の電圧を前記駆動用トランジスタに印加し、
前記第２の期間後の第３の期間に、前記第２のスイッチトランジスタをオン状態にし、前記第１のスイッチトランジスタと前記第３のスイッチトランジスタと第４のスイッチトランジスタと第５のスイッチトランジスタをオン状態にし、前記第１のコンデンサに保持された前記第３の電圧を、前記駆動用トランジスタに印加し、
前記第３の期間後の第４の期間に、前記第４のスイッチトランジスタと前記第５のスイッチトランジスタをオン状態にし、前記第１のスイッチトランジスタと前記第２のスイッチトランジスタと前記第３のスイッチトランジスタをオフ状態にする、
ことを特徴とするＥＬ表示装置。
【請求項３】
前記第１の電圧は、リセット電圧である、
ことを特徴とする請求項１又は２に記載のＥＬ表示装置。
【請求項４】
前記第２の電圧は、アノード電圧であることを特徴とする請求項１又は２記載のＥＬ表示装置。
【請求項５】
前記第２のスイッチトランジスタは、マルチゲート構造である、
ことを特徴とする請求項１又は２に記載のＥＬ表示装置。
【請求項６】
前記第１のコンデンサは、前記第２の電圧が印加された配線と、前記駆動用トランジスタの第２の端子間に形成されている、
ことを特徴とする請求項１又は２に記載のＥＬ表示装置。
【請求項７】
前記第１のコンデンサは、前記第３のスイッチトランジスタの第２の端子と、前記第３のスイッチトランジスタのゲート端子間に形成されている、
ことを特徴とする請求項１又は２に記載のＥＬ表示装置。
【請求項８】
前記第３のスイッチトランジスタのゲート端子と、前記駆動用トランジスタのゲート端子間に第３のコンデンサが形成されている、
ことを特徴とする請求項１又は２に記載のＥＬ表示装置。
【請求項９】
前記第４のスイッチトランジスタをオンオフ制御することにより、前記表示画面に、帯状の非表示領域を表示するとともに、前記非表示領域を、前記ゲートドライバ回路の操作方向に移動させる、
ことを特徴とする請求項１又は２に記載のＥＬ表示装置。
【請求項１０】
任意の画素の前記第１のスイッチトランジスタのゲート端子は、前記任意の画素より前の画素行の画素の第２のスイッチトランジスタのゲート端子と、共通のゲート信号線に接続されている、
ことを特徴とする請求項１又は２に記載のＥＬ表示装置。
【手続補正２】
【補正対象書類名】明細書
【補正対象項目名】０００６
【補正方法】変更
【補正の内容】
【０００６】
本発明は、ＥＬ素子を有する画素がマトリックス状に配置された表示画面と、ソース信号線と接続され、映像信号電圧を出力するソースドライバ回路と、前記画素行を選択するゲートドライバ回路を有するＥＬ表示装置において、前記画素には、前記ＥＬ素子に電流を供給する駆動用トランジスタと、第１のスイッチトランジスタと、第２のスイッチトランジスタと、第３のスイッチトランジスタと、第１のコンデンサが形成されており、前記駆動用トランジスタはゲート端子と第１の端子と第２の端子を有し、前記第１のスイッチトランジスタの第１の端子は、第１の電圧が印加された配線と接続され、前記第１のスイッチトランジスタの第２の端子は、前記駆動用トランジスタと接続され、前記第１のスイッチトランジスタの第１の端子は第１の電圧が印加され、前記第１のスイッチトランジスタの第２の端子は、前記第１のスイッチトランジスタがオン状態の時に前記第１の電圧を前記駆動用トランジスタのゲート端子に印加できるように接続され、前記第２のスイッチトランジスタの第１の端子は、前記駆動用トランジスタの第１の端子と接続され、前記第２のスイッチトランジスタの第２の端子は、前記駆動用トランジスタのゲート端子と接続され、前記第３のスイッチトランジスタの第１の端子は、前記ソース信号線と接続され、前記第３のスイッチトランジスタの第２の端子は、前記駆動用トランジスタの第２の端子と接続され、前記第１のコンデンサは、前記駆動用トランジスタの第２の端子と接続され、第１の期間に、前記第２のスイッチトランジスタ及び第３のスイッチトランジスタはオフ状態にし、前記第１のスイッチトランジスタをオン状態にし、前記第１の電圧を前記駆動用トランジスタに印加し、前記第２の期間に、前記第１のスイッチトランジスタをオフ状態にし、前記ソース信号線に印加された第３の電圧を前記第１のコンデンサに印加するとともに、前記第３の電圧を前記駆動用トランジスタに印加し、前記第２の期間後の第３の期間に、前記第２のスイッチトランジスタをオン状態にし、前記第１のスイッチトランジスタ及び前記第３のスイッチトランジスタをオフ状態にし、前記第１のコンデンサに保持された前記第３の電圧を、前記駆動用トランジスタに印加する、ことを特徴とするＥＬ表示装置である。
また、本発明は、ＥＬ素子を有する画素がマトリックス状に配置された表示画面と、ソース信号線と接続され、映像信号電圧を出力するソースドライバ回路と、前記画素行を選択するゲートドライバ回路を有するＥＬ表示装置において、前記画素には、前記ＥＬ素子に電流を供給する駆動用トランジスタと、第１のスイッチトランジスタと、第２のスイッチトランジスタと、第３のスイッチトランジスタと、第４のスイッチトランジスタと、第５のスイッチトランジスタと、第１のコンデンサと、第２のコンデンサが形成されており、前記駆動用トランジスタはゲート端子と第１の端子と第２の端子を有し、前記第１のスイッチトランジスタの第１の端子は、第１の電圧が印加された配線と接続され、前記第１のスイッチトランジスタの第２の端子は、前記駆動用トランジスタと接続され、前記第１のスイッチトランジスタの第１の端子は第１の電圧が印加され、前記第１のスイッチトランジスタの第２の端子は、前記第１のスイッチトランジスタがオン状態の時に前記第１の電圧を前記駆動用トランジスタのゲート端子に印加できるように接続され、前記第２のスイッチトランジスタの第１の端子は、前記駆動用トランジスタの第１の端子と接続され、前記第２のスイッチトランジスタの第２の端子は、前記駆動用トランジスタのゲート端子と接続され、前記第３のスイッチトランジスタの第１の端子は、前記ソース信号線と接続され、前記第３のスイッチトランジスタの第２の端子は、前記駆動用トランジスタの第２の端子と接続され、前記第４のスイッチトランジスタの第１の端子は、前記駆動用トランジスタの第１の端子と接続され、前記第４のスイッチトランジスタの第２の端子は、前記ＥＬ素子の１端子と接続され、前記第５のスイッチトランジスタの第１の端子は、第２の電圧が印加された配線と接続され、前記第５のスイッチトランジスタの第２の端子は、前記駆動用トランジスタの第２の端子と接続され、前記第１のコンデンサは、前記駆動用トランジスタの第２の端子と接続され、前記第２のコンデンサは、前記第２の電圧が印加された配線と前記駆動用トランジスタのゲート端子間に形成され、第１の期間に、前記第２のスイッチトランジスタと第３のスイッチトランジスタと第４のスイッチトランジスタはオフ状態にし、前記第１のスイッチトランジスタと前記第５のスイッチトランジスタをオン状態にし、前記第１の電圧を前記駆動用トランジスタに印加し、第１の期間後の第２の期間に、前記第１のスイッチトランジスタと前記第４のスイッチトランジスタと前記第５のスイッチトランジスタをオフ状態にし、前記第２のスイッチトランジスタ及び前記第３のスイッチトランジスタをオン状態にし、前記ソース信号線に印加された第３の電圧を前記第１のコンデンサに印加するとともに、前記第３の電圧を前記駆動用トランジスタに印加し、前記第２の期間後の第３の期間に、前記第２のスイッチトランジスタをオン状態にし、前記第１のスイッチトランジスタと前記第３のスイッチトランジスタと第４のスイッチトランジスタと第５のスイッチトランジスタをオン状態にし、前記第１のコンデンサに保持された前記第３の電圧を、前記駆動用トランジスタに印加し、前記第３の期間後の第４の期間に、前記第４のスイッチトランジスタと前記第５のスイッチトランジスタをオン状態にし、前記第１のスイッチトランジスタと前記第２のスイッチトランジスタと前記第３のスイッチトランジスタをオフ状態にする、ことを特徴とするＥＬ表示装置である。